(57)【要約】【課題】  店舗のレジスターから二次元コード乗車券情報を得て、交通機関を利用することができるようにする、店舗のレジスター発行二次元コード乗車券情報を用いた交通機関の改札処理方法及びそのシステムを提供する。【解決手段】  店舗のレジスター発行二次元コード乗車券情報を用いた交通機関の改札処理方法において、店舗６のレジスター７から二次元コード乗車券情報が付された二次元コード乗車券９を得て、この二次元コード乗車券９を二次元コード自動改札機２の二次元コードリーダ２Ａに読み取らせ、交通機関の改札処理を可能にする。【選択図】  図１
2013210790.tif 000002
【特許請求の範囲】
【請求項１】
店舗のレジスターから二次元コード乗車券情報が付された二次元コード乗車券を得て、この二次元コード乗車券を二次元コード自動改札機の二次元コードリーダに読み取らせ、交通機関の改札処理を可能にすることを特徴とする店舗のレジスター発行二次元コード乗車券情報を用いた出改札処理方法。
【請求項２】
携帯端末を持った利用者である場合には、店舗のレジスターで買物をしたときの会員カードを用いた支払いにより、前記店舗のレジスターからの支払い情報が購入情報伝送装置に転送され、ネットワークを介して乗車券情報管理サーバ、携帯端末情報伝送装置、伝送基地局から利用者の携帯端末に二次元コード乗車券情報が発行され、この二次元コード乗車券情報を二次元コード自動改札機に読み取らせて乗車券として利用できるようにすることを特徴とする店舗のレジスター発行二次元コード乗車券情報を用いた出改札処理方法。
【請求項３】
請求項１又は２記載の店舗のレジスター発行二次元コード乗車券情報を用いた出改札処理方法において、前記二次元コード自動改札機が鉄道、バス、路面電車用改札機であることを特徴とする店舗のレジスター発行二次元コード乗車券情報を用いた出改札処理方法。
【請求項４】
店舗のレジスターから二次元コード乗車券情報が付された二次元コード乗車券を得る手段と、この得られた二次元コード乗車券を読み取る二次元コードリーダを有する二次元コード自動改札機を具備することを特徴とする店舗のレジスター発行二次元コード乗車券情報を用いた出改札処理システム。
【請求項５】
携帯端末を持った利用者である場合には、店舗のレジスターで買物をしたときの会員カードを用いた支払いにより、前記店舗のレジスターからの支払い情報が転送される購入情報伝送装置と、前記支払い情報がネットワークを介して乗車券情報管理サーバ、携帯端末情報伝送装置、伝送基地局から二次元コード乗車券情報が発行される利用者の携帯端末と、前記二次元コード乗車券情報を二次元コード自動改札機に読み取らせて乗車券として利用できるようしたことを特徴とする店舗のレジスター発行二次元コード乗車券情報を用いた出改札処理システム。
【請求項６】
請求項４又は５記載の店舗のレジスター発行二次元コード乗車券情報を用いた出改札処理システムにおいて、前記二次元コード自動改札機が鉄道、バス、路面電車用改札機であることを特徴とする店舗のレジスター発行二次元コード乗車券情報を用いた出改札処理システム。
【発明の詳細な説明】
【技術分野】
【０００１】
本発明は、店舗のレジスター発行二次元コード乗車券情報を用いた出改札処理方法及びそのシステムに関するものである。
【背景技術】
【０００２】
近年ＩＣカードが普及して様々なサービスがなされているが、一方でより安価で簡易な改札システムとして二次元コードを用いた改札システムの研究がなされている。この二次元コードを用いた改札システムは、磁気式乗車券システムの代わりになるものとして検討されているものでＩＣカードを持たない鉄道利用者に対しても様々なサービスを提供する手段となる。
【０００３】
一方で、鉄道と商業施設の連携も模索されているが、そのほとんどはやはりＩＣカードをベースにしたサービスである。これはＩＣカードが多くの情報を記憶できるというメリットによるところが大きいが、ＩＣカードを持たない人にはその特典を受けることができない。
ところで、特許出願人は、図５に示すような、二次元コード対応試作改札機とその試作乗車券の開発を行っている（下記非特許文献１参照）。
【０００４】
図５は従来の二次元コード対応試作改札機とその試作乗車券を示す図である。
図５（ａ）に示すように、電車（例えば、ＬＲＴ）には、ドア付きの改札機が配置され、図５（ｂ）に示すように、この改札機は二次元コード乗車券に記録された情報を光学的に読み取り、これにより、磁気式乗車券の磁気情報の複雑な読取装置に代替することができる。
【先行技術文献】
【非特許文献】
【０００５】
【非特許文献１】２０１１  特許技術情報  平成２３年１０月発行，Ｅ−８  公益財団法人鉄道総合技術研究所
【発明の概要】
【発明が解決しようとする課題】
【０００６】
そこで、本発明は、上記状況に鑑みて、店舗のレジスターから二次元コード乗車券情報を得て、交通機関を利用することができるようにする、店舗のレジスター発行二次元コード乗車券情報を用いた出改札処理方法及びそのシステムを提供することを目的とする。
【課題を解決するための手段】
【０００７】
本発明は、上記目的を達成するために、
〔１〕店舗のレジスター発行二次元コード乗車券情報を用いた出改札処理方法において、店舗（６）のレジスター（７）から二次元コード乗車券情報が付された二次元コード乗車券（９）を得て、この二次元コード乗車券（９）を二次元コード自動改札機（２）の二次元コードリーダ（２Ａ）に読み取らせ、改札処理を可能にすることを特徴とする。
【０００８】
〔２〕店舗のレジスター発行二次元コード乗車券情報を用いた出改札処理方法において、携帯端末（１８）を持った利用者である場合には、店舗（１１）のレジスター（１３）で買物をしたときの会員カード（１２）を用いた支払いにより、前記店舗（１１）のレジスター（１３）からの支払い情報が購入情報伝送装置（１４）に転送され、ネットワーク（１５）を介して乗車券情報管理サーバ（５）、携帯端末情報伝送装置（１６）、伝送基地局（１７）から利用者（１０）の携帯端末（１８）に二次元コード乗車券情報（１９）が発行され、この二次元コード乗車券情報（１９）を二次元コード自動改札機（２）に読み取らせて乗車券として利用できるようにすることを特徴とする。
【０００９】
〔３〕上記〔１〕又は〔２〕記載の店舗のレジスター発行二次元コード乗車券情報を用いた出改札処理方法において、前記二次元コード自動改札機が鉄道、バス、路面電車用改札機であることを特徴とする。
〔４〕店舗のレジスター発行二次元コード乗車券情報を用いた出改札処理システムにおいて、店舗（６）のレジスター（７）から二次元コード乗車券情報が付された二次元コード乗車券（９）を得る手段と、この得られた二次元コード乗車券（９）を読み取る二次元コードリーダ（２Ａ）を有する二次元コード自動改札機（２）を具備することを特徴とする。
【００１０】
〔５〕店舗のレジスター発行二次元コード乗車券情報を用いた出改札処理システムにおいて、携帯端末（１８）を持った利用者（１０）である場合には、店舗（１１）のレジスター（１３）で買物をしたときの会員カード（１２）を用いた支払いにより、前記店舗（１１）のレジスター（１３）からの支払い情報が転送される購入情報伝送装置（１４）と、前記支払い情報がネットワーク（１５）を介して乗車券情報管理サーバ（５）、携帯端末情報伝送装置（１６）、伝送基地局（１７）から二次元コード乗車券情報（１９）が発行される利用者の携帯端末（１８）と、前記二次元コード乗車券情報（１９）を二次元コード自動改札機（２）に読み取らせて乗車券として利用できるようしたことを特徴とする。
【００１１】
〔６〕上記〔４〕又は〔５〕記載の店舗のレジスター発行二次元コード乗車券情報を用いた出改札処理システムにおいて、前記二次元コード自動改札機（２）が鉄道、バス、路面電車用改札機であることを特徴とする。
【発明の効果】
【００１２】
本発明によれば、次のような効果を奏することができる。
（１）店舗のレジスターから二次元コード乗車券情報が付された乗車券そのものを発行する場合は、特定の乗車券として利用することになるため、店舗を利用する利用者は、ＩＣカードを持たなくとも、公共交通機関を利用することができ、公共交通機関の利用の促進に役立つ。
【００１３】
（２）携帯端末を持った利用者である場合は、店舗のレジスターで買物をしたときに受け取るレシートに印刷された二次元コード情報を携帯端末に読み取らせ、その読み取られた情報を、携帯情報伝送装置を介して乗車券情報管理サーバに送り、この乗車券情報管理サーバから発行された乗車券情報を携帯端末のディスプレイに表示し、その乗車券情報を二次元コード自動改札機にかざして改札を行うことにより、乗車券自体の発行なしにＩＣカードなどを持たなくとも、公共交通機関を利用することができ、公共交通機関の利用の促進に役立つ。
【図面の簡単な説明】
【００１４】
【図１】本発明の第１実施例を示す店舗のレジスター発行二次元コード乗車券情報を用いた出改札処理システムの模式図である。
【図２】本発明の第１実施例を示す店舗のレジスター発行二次元コード乗車券情報を用いた出改札処理システムの動作フローチャートである。
【図３】本発明の第２実施例を示す店舗のレジスター発行二次元コード乗車券情報を用いた出改札処理システムの模式図である。
【図４】本発明の第２実施例を示す店舗のレジスター発行二次元コード乗車券情報を用いた出改札処理システムの動作フローチャートである。
【図５】従来の二次元コード対応試作改札機とその試作乗車券を示す図である。
【発明を実施するための形態】
【００１５】
店舗のレジスター発行二次元コード乗車券情報を用いた出改札処理方法は、店舗のレジスター（７）から二次元コード乗車券情報が付された二次元コード乗車券（９）を得て、この二次元コード乗車券（９）を二次元コード自動改札機（２）の二次元コードリーダ（２Ａ）に読み取らせ、改札処理を可能にする。
【実施例】
【００１６】
以下、本発明の実施の形態について詳細に説明する。
図１は本発明の第１実施例を示す店舗のレジスター発行二次元コード乗車券情報を用いた出改札処理システムの模式図である。
この図において、１は駅、２は二次元コードリーダ２Ａを有する二次元コード自動改札機、３は二次元コード自動改札機２に接続される改札情報伝送装置、４は改札情報伝送装置３に接続されるネットワーク、５はネットワーク４に接続される乗車券情報管理サーバ、６は店舗、７は店舗６のレジスター、８は店舗６のレジスター７から発行されるレシート、９はそのレシート８に印刷された二次元コード乗車券、１０は利用者である。
【００１７】
このシステムは、店舗の売り上げと交通利用の促進を目的としたもので、買い物をしたときに店舗６のレジスター７から受け取るレシート（領収書）８に二次元コード乗車券９をそのまま印刷できるようにしたものである。
以下、その構成について説明する。
（１）店舗６には、二次元コード乗車券情報が付された二次元コード乗車券９が発券できる店舗のレジスター７が設置されており、利用者１０が買い物の支払いをする時、店舗のレジスター７は受領情報とともに二次元コード乗車券情報が付された二次元コード乗車券９が印刷されたレシート８が発行される。
【００１８】
（２）一方、駅１には二次元コード自動改札機２および改札情報伝送装置３が設置されている。二次元コード自動改札機２には、二次元コードリーダ２Ａが搭載されており、この二次元コードリーダ２Ａで店舗６で発行されたレシート８に印刷された二次元コード乗車券情報が付された二次元コード乗車券９を読み取ることができる。改札情報伝送装置３は、二次元コード自動改札機２が読み取った二次元コード乗車券９の改札情報を管理しており、同じ駅１にある二次元コード自動改札機２に使用済みの二次元コード乗車券９の改札情報を配信して、二次元コード乗車券９の重複使用を防止するとともに、ネットワーク４を通じて使用済み二次元コード乗車券の改札情報を乗車券情報管理サーバ５に配信する。
【００１９】
（３）乗車券情報管理サーバ５は、各駅から伝送された二次元コード乗車券の改札情報を一括管理し、重複利用（不正利用）の防止を含め、使用状況の管理を行う。
図２は本発明の第１実施例を示す店舗のレジスター発行二次元コード乗車券情報を用いた出改札処理システムの動作フローチャートである。
（１）利用者１０が店舗６を利用し（ステップＳ１）、例えば、買い物をし、支払いの際に、一定購入金額を超えている場合には乗車券の提供を受ける権利を得る（店舗側は金額に関係なく、もれなく権利を与えてもよい。例えば、店舗６への来店のみでもよい）。つまり、乗車券の提供を受ける権利を有するか否かをチェックする（ステップＳ２）。
【００２０】
（２）利用者１０に乗車券の受領の権利があるときには、利用しようとする交通機関が均一運賃の場合は、受領情報とともに二次元コード乗車券９を印刷したレシート８を店舗のレジスター７から発行する。利用しようとする交通機関が均一運賃ではなく従量制運賃の場合には、利用したい区間を利用者１０が申告し（ステップＳ３）、その区間の乗車が可能な二次元コード乗車券情報が付された二次元コード乗車券を受領情報とともに印刷したレシート８を発行する（ステップＳ４）。
【００２１】
（３）店舗のレジスター７から発行されたレシート８を受け取った利用者１０は、乗車可能な駅に着くと、そのままレシート７に印刷されている二次元コード乗車券情報が付された二次元コード乗車券９を二次元コード自動改札機２の二次元コードリーダ２Ａにかざし、二次元コード自動改札機２による改札を受けて、乗車する（ステップＳ５）。
（４）次いで、二次元コード乗車券９の二次元コード乗車券情報を読み取った二次元コード自動改札機２は、改札情報を改札情報伝送装置３に送信する（ステップＳ６）。
【００２２】
（５）改札情報を受け取った改札情報伝送装置３は、同じ駅に設置されている他の二次元コード自動改札機２に改札情報を配信し、同じ二次元コード乗車券の重複使用を防止する。また、ネットワーク４を通じて二次元コード乗車券の情報を乗車券情報管理サーバ５に配信して、路線全体で乗車券の情報を管理する（ステップＳ７）。
（６）利用者１０がステップＳ５の二次元コード自動改札機通過後、列車に乗車し、降車駅で出口の二次元コード自動改札機を通過する際には、レシート７に印刷されている二次元コード乗車券情報が付された二次元コード乗車券９を二次元コード自動改札機２の二次元コードリーダ２Ａにかざして出場する（ステップＳ８）。
【００２３】
上記した第１実施例によれば、発行された二次元コード乗車券付きレシートを二次元コード自動改札機の二次元コードリーダにかざすだけの簡単な方法により、交通機関の利用ができるので、特に、普段公共交通機関を使っていない利用者の利用に適している。
図３は本発明の第２実施例を示す店舗のレジスター発行二次元コード乗車券情報を用いた出改札処理システムの模式図である。
【００２４】
図１に示した第１実施例では、レシートに印刷された二次元コード乗車券９を用いてそのまま乗車券として利用するようにしているが、この第２実施例のシステムは、店舗１１において、会員カード１２を用いた支払いにより、店舗のレジスター１３から支払い情報が購入情報伝送装置１４に転送され、ネットワーク１５を介して乗車券情報管理サーバ５、携帯端末情報伝送装置１６、伝送基地局１７から利用者１０の携帯端末１８に二次元コード乗車券情報１９を発行して、この二次元コード乗車券情報１９を二次元コード自動改札機２に読み取らせて乗車券として利用できるようにするものである。
【００２５】
以下、その構成について説明する。
（１）店舗１１には、二次元コード乗車券を発行するための会員カード情報を得ることができる店舗のレジスター１３が設置されており、利用者１０が買い物の支払いをする時、店舗１１での乗車券の提供を受ける権利を有する場合には、店舗のレジスター１３は購入情報伝送装置１４を経由して、購入情報および会員カード１２に記録されている利用者情報（利用者のＩＤ、利用者の持つ携帯端末の番号やメールアドレスなど）を乗車券情報管理サーバ５に送信する。
【００２６】
（２）乗車券情報管理サーバ５は、利用者情報および支払い情報を管理しており、条件が満たされていると、利用者１０に二次元コード乗車券情報１９を発行する。
（３）携帯端末情報伝送装置１６は、乗車券情報管理サーバ５から二次元コード乗車券情報１９を、利用者１０の携帯端末１８に伝送する。
（４）その他の構成は、第１実施例と同様である。
【００２７】
図４は本発明の第２実施例を示す店舗のレジスター発行二次元コード乗車券情報を用いた出改札処理システムの動作フローチャートである。
この方式は、１枚の会員カードによる名寄せができるので、１店舗の支払金額ではなく、複数の店舗で支払った合計金額により、乗車券の提供の権利を獲得することもできる。
（１）利用者１０が店舗１１を利用し（ステップＳ１１）、例えば、利用者１０は会員カード１２を使って店舗１１で買い物をし、一定購入金額を超えて乗車券情報の提供を受ける権利を有する場合には、交通機関の乗車券情報の提供を受ける権利を得る（店舗側は金額に関係なく、もれなく権利を与えてもよい。例えば、店舗１１への来店のみでもよい）。つまり、交通機関の乗車券情報の提供を受ける権利を有するか否かをチェックする（ステップＳ１２）。
【００２８】
（２）ステップ１２でＹＥＳの場合には、店舗のレジスター１３の支払い情報と会員カード１２に記憶されている利用者情報が購入情報伝送装置１４に転送され（ステップＳ１３）、ネットワーク１５、乗車券情報管理サーバ５、携帯情報伝送装置１６、伝送基地局１７を介して利用者１０の携帯端末１８に二次元コード乗車券情報１９が発行される（ステップＳ１４）。
【００２９】
（３）すると、利用者１０は利用する交通機関の駅１の二次元コード自動改札機２の二次元コードリーダ２Ａに二次元コード乗車券情報１９を読み取らせて公共交通機関の改札を行い乗車する（ステップＳ１５）。
（４）二次元コード乗車券情報１９を読み取った二次元コード自動改札機２は、その改札情報を改札情報伝送装置３へ送信する（ステップＳ１６）。
【００３０】
（５）二次元コード乗車券の改札情報１９を受け取った改札情報伝送装置３は、同じ駅に設置されている他の二次元コード自動改札機２に改札情報を配信し、同じ二次元コード乗車券の重複使用を防止する。また、ネットワーク４を通じて改札情報を乗車券情報管理サーバ５に配信して、路線全体で乗車券の情報を管理する（ステップＳ１７）。
（６）利用者１０がステップＳ１５の二次元コード自動改札機通過後、列車に乗車し、降車駅で出口の二次元コード自動改札機を通過する際には、携帯端末１８の二次元コード乗車券情報１９を二次元コード自動改札機の二次元コードリーダ２Ａにかざして出場する（ステップＳ１８）。
【００３１】
この第２実施例によれば、会員カードを有し、携帯端末を所持する利用者の場合は、店舗のレジスターでの購入情報を用いて直接携帯端末に乗車券情報を発行させることができるので、乗車券自体の紛失を回避することができる。
なお、本発明は上記実施例に限定されるものではなく、本発明の趣旨に基づき種々の変形が可能であり、これらを本発明の範囲から排除するものではない。
【産業上の利用可能性】
【００３２】
本発明の店舗のレジスター発行二次元コード乗車券情報を用いた交通機関の改札処理方法は、店舗のレジスターから二次元コード乗車券および乗車券情報を得て、この二次元コード乗車券又は乗車券情報を二次元コード自動改札機に読み取らせ、交通機関の改札処理を可能にする出改札処理方法として利用可能である。
【符号の説明】
【００３３】
１    駅
２    二次元コード自動改札機
２Ａ    二次元コードリーダ
３    改札情報伝送装置
４，１５    ネットワーク
５    乗車券情報管理サーバ
６，１１    店舗
７，１３    店舗のレジスター
８    店舗のレジスターから発行されるレシート（領収書）
９    二次元コード乗車券
１０    利用者
１２    会員カード
１４    購入情報伝送装置
１６    携帯端末情報伝送装置
１７    伝送基地局
１８    携帯端末
１９    二次元コード乗車券情報
【図１】
2013210790.tif 000003
【図２】
2013210790.tif 000004
【図３】
2013210790.tif 000005
【図４】
2013210790.tif 000006
【図５】
2013210790.tif 000007